(57)【要約】【課題】  大型化することなく十分な耐衝撃性を確保することが難しい。【解決手段】透明な合成樹脂からなる窓部材５０が後側カバー（筐体）の開口を塞ぎながら後側カバー４０に固着されている。窓部材５０は、その背面側の面に環状の溝５０ｍ１を、前面側の面に環状の溝５０ｍ２をそれぞれ持ち、２つの環状の溝は後側カバー４０の開口の内周に沿って窓部材の全周にわたって形成されている。窓部材５０に外力が加わると、相反する面に開口する２つの環状の溝５０ｍ１、５０ｍ２がダンパーのように機能して、窓部材のしなりを許容し窓部材を弾性変形させ、外力に起因する衝撃を吸収する。【選択図】  図３
2009294515.tif 000002
【特許請求の範囲】
【請求項１】
表示用窓を有する機器において、
開口を有する筐体と、
上記開口を塞ぎながら上記筐体に設けられ、上記開口の内周に沿って設けられた溝を有する透明素材からなる窓部材と、
を有したことを特徴とした表示用窓を有する機器。
【請求項２】
衝撃吸収素材が上記溝の内部に充填されている請求項１記載の表示用窓を有する機器。
【請求項３】
上記溝が上記窓部材の表面、裏面の双方に設けられている請求項１または２記載の表示用窓を有する機器。
【発明の詳細な説明】
【技術分野】
【０００１】
本発明は、表示用窓を有する機器、特に表示装置の表示画像を表示する表示用窓を有する機器に関する。
【背景技術】
【０００２】
従来、画像や各種情報を表示する表示装置を有するデジタルカメラなどの機器においては、防水性を備えるとともに、落下などに起因する衝撃力に対する耐衝撃性を備えた構成が実用化されている。
表示装置の液晶ディスプレイなどの表示部材を機器の表面に露呈させる部位の防水性および耐衝撃性を確保する構成が、たとえば、特開平１０−０７９５８２号公報、特開２００３−１３３７５４号公報などに開示されている。
【０００３】
特開平１０−０７９５８２号公報では、ポリカーボネートなどの透明部材からなる筐体と筐体の外側を被覆するエラストマなどの弾性部材とから一体構造の筐体構造を形成し、外側の弾性部材（外装部材）によって耐衝撃性を確保するとともに、内側の透明部材を部分的に露出させる開口部を外側の弾性部材に形成して開口部に対する防水性を透明部材で確保している。
【０００４】
また、特開２００３−１３３７５４号公報では、筐体からなる本体ケースに開口部を設け、本体ケースの開口部をカバーガラスで塞ぎ、カバーガラス、本体ケース間に配置したパッキングを本体ケース、カバーガラス間に挟持する構成としている。この構成では、カバーガラスがパッキンによって本体ケースに弾性的に保持されることにより、防水性、耐衝撃性が確保されている。
【特許文献１】特開平１０−０７９５８２号公報
【特許文献２】特開２００３−１３３７５４号公報
【発明の開示】
【発明が解決しようとする課題】
【０００５】
しかしながら、特開平１０−０７９５８２号公報の構成では、透明部材からなる筐体の外側のほぼ全体を弾性部材で覆っているため十分な耐衝撃性が得られる反面、弾性部材相当分だけ機器の厚みや重量が増加し、機器の大型化が避けられない。
また、特開２００３−１３３７５４号公報の構成では、パッキングを本体ケース、カバーガラス間に挟持しているにすぎないため、大型化を招かないとはいえ、曲げモーメントなどの外力に対するカバーガラスの耐衝撃性が十分でない。
本発明は、大型化することなく十分な耐衝撃性を確保できる表示用窓を有する機器の提供を目的としている。
【課題を解決するための手段】
【０００６】
請求項１記載の本発明によれば、開口を有する筐体と、上記開口を塞ぎながら上記筐体に設けられ、上記開口の内周に沿って設けられた溝を有する透明素材からなる窓部材とを有したことを特徴としている。
また、請求項２記載の本発明によれば、衝撃吸収素材が上記溝の内部に充填されていることを特徴としている。
さらに、請求項３記載の本発明によれば、上記溝が上記窓部材の表面、裏面の双方に設けられていることを特徴としている。
【発明の効果】
【０００７】
請求項１記載の本発明では、筐体の開口を塞いで筐体に設けられた透明な窓部材が開口の内周に沿って設けられた溝を有しているため、曲げモーメントなどの外力が窓部材に作用すると、外力に起因する衝撃を吸収するばね弾性が窓部材に生じ、十分な耐衝撃性が確保される。そして、独立の弾性部材を設けていないため、大型化せず、逆に、溝相当分だけ窓部材の重量が軽減され、軽量化される。
請求項２記載の本発明では、衝撃吸収素材が溝の内部に充填されているため、十分なばね弾性が得られ、耐衝撃性が改善される。
請求項３記載の本発明では、溝が窓部材の表面、裏面の双方に設けられているため、大きなばね弾性が得られ、十分な耐衝撃性が得られる。
【発明を実施するための最良の形態】
【０００８】
本発明では、透明素材からなる窓部材が筐体の開口を塞ぎながら筐体に設けられ、窓部材は開口の内周に沿って設けられた溝を有し、溝の内部に衝撃吸収素材が充填されている。
【実施例１】
【０００９】
以下、図面を参照しながら本発明の実施例（実施例１）を詳細に説明する。なお、実施例では、防水構造の窓を有する機器、すなわち防水機器としてデジタルカメラを例示して説明する。
図１、図２は、デジタルカメラとして具体化された本発明の一実施例に係る防水構造の窓を有する機器の背面斜視図、背面側の構成部材を取り出した分解斜視図、図３は図１の線III-IIIに沿った断面図をそれぞれ示す。
【００１０】
防水構造の窓を有する機器の一例であるデジタルカメラ１０は、光学レンズ、撮像素子などを用いて被写体像をデジタルの画像データとして撮影して記録するものであり、記録された画像データを表示する表示装置を備え、表示装置の表示画像を表示する表示用窓を有して構成されている。
【００１１】
実施例においては、デジタルカメラ１０の使用状態を考慮して使用時に被写体に対向する側の面をデジタルカメラの前面、撮影者が対面する側の面を側のデジタルカメラの背面ということとする。撮影動作の際に操作すべき操作部材、たとえば、シャッタボタンなどの配置されている側の面を上面とし、これと対向する側の面（逆側の面）を底面とする。また、撮影画面の長辺が水平方向となるようにデジタルカメラ１０を構えたデジタルカメラの通常の使用時に左右に位置する側の面を側面とする。なお、被写体側をデジタルカメラの前方、被写体と逆側をデジタルカメラの後方とする。
【００１２】
デジタルカメラ１０の構成概略について主に図１を参照しながら説明すると、デジタルカメラはカメラ本体を形成する筐体（図１には図示されない）と、カメラ本体（筐体）の外面を覆う外観部材２０と備え、デジタルカメラの外形形状は、たとえば、略長方形形状からなる。そして、カメラ本体の内部には、各種の構成ユニットが配置されている。
【００１３】
外観部材２０は、カメラ本体の前面、上下面、両側面の三面を覆う前側外観部材２０Ｆと、カメラ本体の背面を覆う後側外観部材２０Ｒとから構成され、前側外観部材、後側外観部材は、たとえば、プレス加工されたアルミニウム板などの板状の金属部材からいずれも成形されている。
【００１４】
デジタルカメラ１０の上面や背面には、撮影操作において使用される各種の操作部材１２が配設されている。
すなわち、デジタルカメラ１０の上面には、電源のオンオフを切り換えるパワースイッチ１２ａ、撮影動作時に操作されるシャッタボタン１２ｂなどの操作部材が配設されている。
また、デジタルカメラ１０の背面には、撮影時に撮影画像の変倍率(ズーム率)などを変更するズームスイッチ１２ｃ、撮影動作モードを切り換えるモードダイヤル１２ｄ、撮影時の撮影条件を設定し、再生時に表示画像の切換えを行ういわゆる十字キー１２ｅ、十字キーで設定した撮影条件を決定する決定ボタン（ＯＫボタン）１２ｆなどの操作部材が配設されている。
【００１５】
なお、実施例では、操作部材１２ａ、１２ｂはデジタルカメラ１０の上面で向かって右寄りの部位に、操作部材１２ｃ、１２ｄ、１２ｅ、１２ｆはデジタルカメラの背面で向かって右寄りの部位にそれぞれ配設されている。そして、デジタルカメラ１０の背面において操作部材１２ｃ、１２ｄ、１２ｅ、１２ｆの配設された右寄りの部位以外の領域でカメラ内部には、表示装置の一部を構成する表示部材３０が配設されている。この表示部材３０は撮影画像、再生画像などの画像が表示される表示画面を有しており、たとえば、液晶ディスプレイ（ＬＣＤ）からなる。なお後述するように、表示部材３０は窓部材５０で覆われて保護されている。
【００１６】
パワースイッチなどの上記操作部材１２ａ〜１２ｆは、前側外観部材、後側外観部材に形成された対応する開口を介して突出し、カメラ本体（筐体）の内部の電気基板の接点に作用可能となっている。そして、デジタルカメラ１０の使用者（撮影者）が操作部材１２ａ〜１２ｆを操作すると、対応する電気信号が中央処理回路（ＣＰＵ）に出力され、中央処理回路において各種の動作制御がなされる。
【００１７】
次に、デジタルカメラ１０の背面側の部材について、主に図２、図３を参照しながら説明する。
【００１８】
図２において参照符号４０は、カメラ本体（筐体）の一部を構成して該カメラ本体の背面側を覆うように設けられた後側カバーを示す。この後側カバー４０には、デジタルカメラ１０の操作部材１２ａ、１２ｂ、１２ｃ、１２ｄが挿通される切欠き４２ａ、開口４２ｃ、４２ｄと、液晶ディスプレイ（表示部材）３０のための第１の開口である表示部材用開口４２ｇとが形成されている。なお、図２に図示されていないが、操作部材（十字キー）１２ｅが挿通される十字形状の開口も後側カバー４０に形成されている。
【００１９】
後側カバー４０の背面側に、後側外観部材２０Ｒがデジタルカメラ１０の背面を全面的に覆って設けられている。そして、デジタルカメラ１０の背面側の操作部材１２ｃ、１２ｄ、１２ｅ（１２ｆ）を外部に露呈するための開口２２ｃ、２２ｄ、２２ｅと、第１の開口４２ｇの大きさと略同じ大きさで液晶ディスプレイ３０による画像を表示するための第２の開口である表示窓２２ｇとが、後側外観部材２０Ｒに形成されている。
【００２０】
なお、後側カバー４０の開口４２ｃ、４２ｄ、十字形状の開口（図２では隠されている）、開口４２ｅは後側外観部材２０Ｒの対応する開口２２ｃ、２２ｄ、２２ｅ、２２ｇとそれぞれ整列した部位に、後側カバーの表示部材用開口４２ｇは後側外観部材の表示窓（第２の開口）２２ｇと整列した部位にそれぞれ設けられている。
【００２１】
窓部材５０が後側カバー４０の表示部材用開口（第１の開口）４２ｇと、後側外観部材の表示窓（第２の開口）２２ｇに挟まれて配設されており、この窓部材は、たとえば、透明アクリル樹脂、透明ポリカーボネートなどの透明素材から成形されている。
【００２２】
窓部材５０はその背面側の面（液晶ディスプレイ３０に面しない側の面）、すなわち外観側の面に有底の環状の溝５０ｍ１を持ち、この背面側の溝は後側カバーの開口４２ｇの内周に沿って窓部材の全周にわたって形成されている。つまり、溝５０ｍ１は窓部材５０の外周面５０ｊから僅かな距離ｄ１だけ離間した部位に環状に形成されている。さらに、窓部材５０は、前面側の面（液晶ディスプレイ３０に面する側の面）に有底の環状の溝５０ｍ２を持ち、この前面側の溝は中央部寄りに背面側の溝５０ｍ１から一定間隔ｄ２だけ離間して背面側の溝５０ｍ１と平行に窓部材の全周にわたって形成されている。つまり、環状の溝５０ｍ１、５０ｍ２が窓部材５０の表裏に設けられている。
結果として、環状の溝５０ｍ１、５０ｍ２間には環状の肉薄の板状の枠部分（梁部）５０ｎが窓部材５０に形成されることとなる。枠５０ｎの厚みは、図３に示すように、ｄ２−ｄ１−ｍ１（ｍ１は溝５０ｍ１の幅）となり、通常の使用に耐えるだけの厚み寸法を採ればよい。
【００２３】
棚状の受け部４２ｈが、後側カバーの表示部材用開口（第１の開口）４２ｇの内周縁から開口４２ｇの内側に向けて張り出して開口４２ｇの内周縁の全周にわたって後側カバー４０に形成されている。棚状の受け部４２ｈは、たとえば、後側カバー４０の厚さ方向の中央部に形成される。
【００２４】
後側カバー側の棚状の受け部４２ｈに対応して棚状の受け部４２ｈと略同一断面形状の棚部５０ｈが、窓部材の外周縁部５０ａの全周に形成されている。このように窓部材の外周縁部５０ａに棚部５０ｈを設けているため、窓部材の外周縁部は光透過部となるその中央部５０ｂより肉薄となっている。
【００２５】
後側カバーの棚状の受け部４２ｈが窓部材５０の板厚方向に窓部材の棚部５０ｈを受けて保持するように、窓部材５０は後側カバー４０に対して開口４２ｇの背面から開口４２ｇに嵌め込まれて配設される。
ここで、図３に示すように、後側カバー４０の背面側の面４０ｒが窓部材の棚部の背面側の面５０ｈｒと略同一面となるように、受け側の棚状の受け部４２ｈ、保持される側の棚部５０ｈの肉厚が設定されている。
【００２６】
そして、略同一面となった後側カバーの棚状の受け部４２ｈおよび窓部材の棚部５０ｈと、後方外観部材２０Ｒとの間に接着部材６０が配設されている。この接着部材６０は、たとえば、防水性を備え、その内部に独立孔を複数有する柔軟性に富む特殊ポリオレフィン発泡体などを基台とした発泡体からなる略長方形の両面接着テープからなる。
【００２７】
防水性、柔軟性を持つ両面接着テープ６０を介在しているため、後側カバーの棚状の受け部４２ｈ、窓部材の棚部５０ｈは、開口４２ｇの全周にわたって防水性および弾性を保ちながら後方外観部材２０Ｒに接着、固定される。
両面接着テープ６０による接着は、後側カバーの棚状の受け部４２ｈ、窓部材の棚部５０ｈとの間に両面接着テープ６０を配置して後方外観部材２０Ｒで両面接着テープを押圧すれば足り、超音波による接着に比較して簡単、容易に接着が行なえる。
また、棚状の受け部４２ｈを後側カバー４０の厚さ方向の中央部に形成した構成では、棚状の受け部の厚さ方向の一方向に窓部材５０のためのスペースを、他方向に液晶ディスプレイ３０のためのスペースをそれぞれ確保できるため、デジタルカメラ１０を薄型化できる。
【００２８】
図３に示すように、窓部材の棚部５０ｈの外周側面とそれに対向する後側カバー４０の内周側面との間に隙間Ｄ１を、後側カバーの棚状の受け部４２ｈの内周側面とそれに対向する窓部材５０の外周側面との間に隙間Ｄ２を、後部外観部材２０Ｒの内周側面とそれに対向する窓部材５０の外周側面との間に隙間Ｄ３が残されるように、後部外観部材２０Ｒ、後側カバー４０、窓部材５０が相互に配置されている。
【００２９】
通常、後部外観部材２０Ｒ、後側カバー４０、窓部材５０は、異なる素材からそれぞれ成形されている。たとえば、後部外観部材２０Ｒは金属から、後側カバー４０は合成樹脂から、窓部材５０は合成樹脂またはガラスからそれぞれ成り、それぞれの素材が異なる線膨張係数を持つ。たとえば、高温高湿度環境または低温環境という温度環境でデジタルカメラ１０が使用されれば、素材の線膨張係数の相違によって後部外観部材２０Ｒ、後側カバー４０、窓部材５０に生じる伸縮が異なる。しかし、隙間Ｄ１、Ｄ２、Ｄ３を後部外観部材２０Ｒ、後側カバー４０、窓部材５０の相互の間に設けているとともに、柔軟性に富む発泡体を基台とした発泡体でからなる両面接着テープ６０を用いてそれぞれを接合しているため、後部外観部材、後側カバー、窓部材は図３に示すＸ方向に移動でき、温度変化による異種部材間の伸縮を吸収できる。
また、後部外観部材２０Ｒ、後側カバー４０、窓部材５０をそれぞれ接合する両面接着テープ６０が防水性を備えているため、防水性が確保される。つまり、防水性を確保しながら、温度変化による異種部材間の伸縮を吸収できる。
【００３０】
図４（Ａ）〜（Ｃ）は図１の線III-IIIに沿った断面における窓部材の弾性変形の模式図をそれぞれ示す。図４（Ａ）に示すように、窓部材５０にＹ方向の外力Ｐ１が加わると、図４（Ｂ）で示すように窓部材を時計方向に曲げようとするモーメント（曲げモーメント）Ｍ１が窓部材に作用する。
【００３１】
すると、図４（Ｂ）で一点鎖線に示すように、後側カバーの棚状の受け部４２ｈと両面接着テープ６０を介在して後側外観部材２０Ｒとに挟持された棚部５０ｈを支点として、棚部５０ｈに近い環状の溝５０ｍ１の開口端（外力の作用する側の面に開口する端；溝断面の口元）の幅を拡げ、棚部５０ｈから離れた環状の溝５０ｍ２の開口端（外力の作用する面と逆側の面（液晶ディスプレイ３０に面する側の面）に開口する端）の幅を狭めるようにしなり、弾性変形する。つまり、相反する面に開口する２つの環状の溝５０ｍ１、５０ｍ２に挟まれた梁部（枠部分）５０ｎが歪エネルギーを熱エネルギーに変換するダンパーのように機能して、窓部材のしなりを許容し窓部材を弾性変形させるため、外力Ｐ１に起因する衝撃は窓部材に吸収され、十分な耐衝撃性が確保される。
【００３２】
なお、後側カバーの棚状の受け部４２ｈと接着テープ６０を介在して後側外観部材２０Ｒとに挟持された棚部５０ｈが、柔軟性に富む両面接着テープ６０を押圧して圧縮変形させるため、棚部５０ｈに加わる衝撃が両面接着テープによって緩衝、緩和されることとなり、この点からも耐衝撃性が改善される。
【００３３】
また、図４（Ａ）に示すように、後側外観部材２０ＲにＹ方向の外力Ｐ２が加われば、図４（Ｃ）で示すように窓部材５０を反時計方向に曲げようとするモーメント（曲げモーメント）Ｍ２が窓部材に作用する。この場合には、曲げモーメントＭ２が窓部材５０から両面接着テープ６０を介して窓部材の棚部５０ｈに伝達されることとなり、弾性に富む両面接着テープが緩衝材となって曲げモーメントを吸収し、曲げモーメントＭ２は弱められて棚部５０ｈに伝えられる。棚部５０ｈに伝えられた曲げモーメントＭ２によって、２点鎖線で示すように、棚部５０ｈに近い環状の溝５０ｍ１の開口端の幅を拡げ、棚部５０ｈから離れた環状の溝５０ｍ２の開口端の幅を狭めるように窓部材５０がしなり、弾性変形する。この場合にも、相反する面に開口する２つの環状の溝５０ｍ１、５０ｍ２に挟まれた梁部（枠部分）５０ｎが歪エネルギーを熱エネルギーに変換するダンパーのように機能して、窓部材のしなりを許容し窓部材を弾性変形させるため、外力Ｐ２に起因する衝撃が窓部材に吸収され、十分な耐衝撃性が確保される。
また、デジタルカメラ１０を落下させたとき生じる衝撃としての外力がＸ方向に加わった場合においても、溝５０ｍ１、５０ｍ２の双方の開口端（溝断面の口元）の幅が一瞬狭くなり、梁部５０ｎに変形を生じさせて、上記と同様に、梁部５０ｎが歪エネルギーを熱エネルギーに変換するダンパーとして機能する。
【００３４】
上記のように、窓部材５０の相反する面に開口する２つの溝５０ｍ１、５０ｍ２がダンパーのように機能して、ばね弾性が窓部材に生じることにより、外力が窓部材に直接作用しても、後側外観部材２０Ｒに加えられた外力が窓部材に間接的に作用しても、外力に起因する衝撃はいずれも窓部材に吸収され、十分な耐衝撃性が確保される。
特に、環状の溝５０ｍ１、５０ｍ２を窓部材３０の表面、裏面の双方に設けているため、窓部材５０において生じた梁部５０ｎによって大きなばね弾性が得られ、十分な耐衝撃性が得られる。
また、後側外観部材２０Ｒと窓部材の棚部５０ｈとの間に柔軟性に富む両面接着テープ６０を配置してそれらを接着しているため、両面接着テープが衝撃を緩衝、緩和して、耐衝撃性が改善される。
【００３５】
このように、ダンパーのように機能する溝５０ｍ１、５０ｍ２を後側カバーの開口４２ｇの内周近傍に沿って窓部材に形成するだけで十分な耐衝撃性が確保され、独立の弾性部材を必要としないため、デジタルカメラ１０の大型化が避けられる。そして、溝相当分だけ窓部材５０の重量が軽減されるため、デジタルカメラ１０を軽量化できる。
つまり、本発明によれば、十分な耐衝撃性が確保されるとともにデジタルカメラ１０の小型軽量化が可能となる。
【００３６】
両面接着テープ６０が防水性を備えているため、後部外観部材２０Ｒと窓部材５０との間、および窓部材と後側カバー４０との間の防水性が得られる。
窓部材５０が後部外観部材の開口４２ｇを塞いで配置され、後部外観部材と窓部材との間の防水性を両面接着テープ６０で確保しているため、デジタルカメラ１０が水中にあっても、窓部材が水圧を受け止める。そのため、窓部材５０の内部に設けられる液晶ディスプレイ３０の表示画面に加わる水圧が抑制され、液晶ディスプレイが保護される。窓部材５０は、たとえば水深数ｍ程度の水圧にも耐えられる。
【実施例２】
【００３７】
図５は、デジタルカメラとして具体化された本発明の別実施例（実施例２）に係る表示用窓を有する機器の断面図を示し、図５は上記実施例（実施例１）の図３に対応する。この実施例２は、窓部材の溝５０ｍ１、５０ｍ２に衝撃吸収素材５０ｐが充満されている点で実施例１と相違し、他は実施例１と同様の構成であるため、実施例１と相違する実施例２の構成についてのみ述べ、実施例１、２に共通する構成の説明は省略する。
【００３８】
実施例２では、窓部材の衝撃吸収素材５０ｐが溝５０ｍ１、５０ｍ２に充満されている。衝撃吸収素材５０ｐは、窓部材５０が衝撃吸収素材を圧縮しながら溝５０ｍ１、５０ｍ２の開口端（溝断面の口元）の幅を狭めるようにしなって変形するのを許容するものからなり、たとえば、内外ゴム株式会社のハネナイト(商標)や三進興産株式会社のソルボ（商標）などのような発泡剤、ゴム、スポンジなどが衝撃吸収素材として使用される。
【００３９】
衝撃吸収素材５０ｐが窓部材の溝５０ｍ１、５０ｍ２に充填された実施例２の構成では、外力によって窓部材５０に加わる衝撃を衝撃吸収素材が吸収し緩衝、緩和しながら梁部５０ｎに変形を起こして窓部材が弾性変形するため、耐衝撃性がさらに改善される。
【００４０】
この実施例においても、隙間Ｄ１、Ｄ２、Ｄ３を後部外観部材２０Ｒ、後側カバー４０、窓部材５０の相互の間に設けているとともに、防水性を備え、柔軟性に富む発泡体を基台とした発泡体でからなる両面接着テープ６０によって後部外観部材２０Ｒ、後側カバー４０、窓部材５０が接合されている。そのため、防水性を確保しながら、温度変化による異種部材間の伸縮を吸収することができる。
【実施例３】
【００４１】
図６は、デジタルカメラとして具体化された本発明の他実施例（実施例３）に係る表示用窓を有する機器の背面斜視図、図７は図６の線ＶII-ＶIIに沿った表示用窓を有する機器の断面図をそれぞれ示す。また、図８（Ａ）〜（Ｃ）は図６の線ＶII-ＶIIに沿った断面における窓部材の弾性変形の模式図をそれぞれ示し、実施例１における図４（Ａ）〜（Ｃ）に対応する。実施例１では相反する面それぞれに開口する２つの環状の溝５０ｍ１、５０ｍ２が窓部材の全周にわたって形成されているのに対して、実施例３では、前面側の面（表示部材３０に面する側の面）に開口する環状の溝５０ｍ３が窓部材の全周にわたって形成されているにすぎず、この点で実施例３は実施例１と相違し、他の構成においては実施例１、３は共通している。実施例１、３に共通する構成の説明は省略し、実施例１と相違する実施例３の構成について以下に述べる。
【００４２】
実施例３では、環状の溝５０ｍ３が前面側の面（液晶ディスプレイ３０に面する側の面）に開口して窓部材５０の全周にわたって形成されているにすぎず、背面側の面（液晶ディスプレイ３０に面する側と逆側の面）には溝が形成されていない。
【００４３】
この実施例において、図８（Ａ）に示すように、窓部材５０に外力Ｐ１が加わり、図８（Ｂ）で示すように窓部材を時計方向に曲げようとするモーメント（曲げモーメント）Ｍ１が窓部材に作用する。すると、図８（Ｂ）で一点鎖線に示すように、後側カバーの棚状の受け部４２ｈと両面接着テープ６０を介在して後側外観部材２０Ｒとに挟持された棚部５０ｈを支点として、詳細には、環状の溝５０ｍ３の基底部（底部）ａを支点として、環状の溝５０ｍ３の開口端（外力の作用する面と逆側の面（液晶ディスプレイ３０に面する側の面）に開口する開口端）の幅を狭めるように窓部材５０がしなり、弾性変形する。つまり、環状の溝５０ｍ３の基底部ａが歪んで、その歪エネルギーを熱エネルギーに変換するダンパーのように機能して、窓部材５０のしなりを許容し窓部材を弾性変形させるため、外力Ｐ１に起因する衝撃は窓部材に吸収され、十分な耐衝撃性が確保される。
また、後側カバーの棚状の受け部４２ｈと接着テープ６０を介在して後側外観部材２０Ｒとに挟持された棚部５０ｈが、柔軟性に富む両面接着テープ６０を押圧して圧縮変形させるため、棚部５０ｈに加わる衝撃が両面接着テープによって緩衝、緩和されることとなり、この点からも耐衝撃性が改善される。
【００４４】
また、後側外観部材２０Ｒに外力Ｐ２が加われば、図８（Ｃ）で示すような曲げモーメントＭ２が窓部材５０に作用し、後側カバーの棚状の受け部４２ｈと後側外観部材２０Ｒとに挟持された棚部５０ｈは２点鎖線で示すように変形する。すると、環状の溝５０ｍ３の基底部ａが歪んで、この歪エネルギーを熱エネルギーに変換するダンパーのように機能するため、窓部材のしなりを許容し窓部材を弾性変形させて、外力Ｐ２に起因する衝撃が窓部材に吸収される。
【００４５】
このように、表示部材３０に面する側の面に開口する環状の溝５０ｍ３が窓部材５０に形成され、この環状の溝５０ｍ３の基底部ａがダンパーのように機能するため、外力が窓部材に直接作用しても、後側外観部材２０Ｒに加えられた外力が窓部材に間接的に作用しても、外力に起因する衝撃はいずれも窓部材に吸収され、十分な耐衝撃性が確保される。
また、デジタルカメラ１０を落下させて生じる衝撃としての外力がＸ方向に加わった場合においても、溝５０ｍ３の開口端（溝断面の口元）の幅が一瞬狭くなり、その基底部ａに変形を起こして、上記と同様に、梁部５０ｍ３の基底部ａが歪エネルギーを熱エネルギーに変換するダンパーとして機能する。
【００４６】
この実施例においても、ダンパーのように機能する溝５０ｍ３の基底部ａを後側カバーの開口４２ｇの内周に沿って窓部材５０に形成するだけで十分な耐衝撃性が確保され、独立の弾性部材を必要としないため、デジタルカメラ１０の大型化が避けられる。そして、溝相当分だけ窓部材５０の重量が軽減されるため、デジタルカメラ１０を軽量化でき、この実施例においても、デジタルカメラ１０の小型軽量化が可能となる。
【００４７】
上記のように、外力の加わる外側の面に開口する環状の溝５０ｍ３の基底部ａがダンパーのように機能して、ばね弾性が窓部材に生じることにより、外力が窓部材に直接作用しても、後側外観部材２０Ｒに加えられた外力が窓部材に直接作用しても、外力に起因する衝撃はいずれも窓部材に吸収され、十分な耐衝撃性が確保される。
また、後側外観部材２０Ｒと窓部材の棚部５０ｈとの間に柔軟性に富む両面接着テープ６０を配置してそれらを接着しているため、両面接着テープが衝撃を緩衝、吸収して、耐衝撃性が改善される。
【００４８】
この実施例においても、実施例２と同様に、発泡材、ゴム、スポンジなどの衝撃吸収材を環状の溝５０ｍ３に充填すれば、窓部材の耐衝撃性がさらに改善される。
【００４９】
本発明では、筐体の開口を塞いで筐体に設けられた透明な窓部材が合成樹脂からなるとともに、開口の内周に沿って設けられた溝を有しているため、曲げモーメントなどの外力が窓部材に作用しても、窓部材が外力を吸収し、十分な耐衝撃性が確保される。
また、独立の弾性部材を設けているのでないため、大型化せず、逆に、溝相当分だけ窓部材の重量が軽減され、軽量化される。
【００５０】
上述した実施例は、この発明を説明するためのものであり、この発明を何ら限定するものでなく、この発明の技術範囲内で変形、改造などの施されたものも全てこの発明に包含されることは言うまでもない。
たとえば、実施例１〜３では、窓部材の溝５０ｍ１〜５０ｍ３を筐体の一部である後側カバーの開口の内周に沿って窓部材の全周にわたって設けた連続した環状の溝としている。連続した環状の溝とすれば、窓部材が大きなばね弾性を備えて十分な耐衝撃性を確保できるとはいえ、連続した環状の溝に限定されず、たとえば、その一部において連続していない環状の溝としてもよい。
【００５１】
なお、実施例３における溝５０ｍ３の基底部ａの技術的説明を実施例１において省いているが、実施例１の溝５０ｍ１、５０ｍ２のそれぞれの基底部に、実施例３の溝５０ｍ３の基底部ａと同様の挙動、作用が働いている。そして、実施例１においては溝５０ｍ１、５０ｍ２が窓部材５０の表裏それぞれに設けられているため、実施例３よりも大きな弾性変形が窓部材５０に生じる。したがって、実施例１は実施例３よりも耐衝撃性に優れた表示窓や、表示窓のある機器を提供できる。
【００５２】
また、上記の実施例には、種々の段階の発明が含まれており、開示された複数の構成要件の適切な組み合わせによって種々の発明が抽出され得る。たとえば、上記実施例に示される全構成要件からいくつかの構成要件が削除されても、発明が解決しようとする課題で述べた課題が解決でき、発明の効果で述べた効果が得られる場合には、その構成要件の削除された構成が発明として抽出され得る。
【産業上の利用可能性】
【００５３】
実施例では、表示用窓を有する機器としてデジタルカメラを例示しているが、表示用窓を有する機器はデジタルカメラに限定されず、デジタルビデオカメラ、携帯電話、携帯用音楽プレーヤー、携帯ゲーム機、携帯パソコン、ＩＣレコーダなどの主として携帯して使用される表示用窓を有する機器に本発明が広く応用できる。また、携帯して使用される機器（携帯機器）への応用が一般的とはいえ携帯機器に限定されず、室内に据え付けられて使用される各種の電気機器などにも本発明が応用できる。
【図面の簡単な説明】
【００５４】
【図１】デジタルカメラとして具体化された本発明の一実施例に係る表示用窓を有する機器の背面斜視図を示す。
【図２】本発明の一実施例に係る表示用窓を有する機器の構成部材を取り出した分解斜視図を示す。
【図３】図１の線III-IIIに沿った表示用窓を有する機器の断面図を示す。
【図４】（Ａ）〜（Ｃ）は図１の線III-IIIに沿った断面における窓部材の弾性変形の模式図をそれぞれ示す。
【図５】デジタルカメラとして具体化された本発明の別実施例(実施例２)に係る表示用窓を有する機器の断面図を示す。
【図６】デジタルカメラとして具体化された本発明の他実施例（実施例３）に係る表示用窓を有する機器の背面斜視図を示す。
【図７】図６の線ＶII-ＶIIに沿った表示用窓を有する機器の断面図を示す。
【図８】（Ａ）〜（Ｃ）は図６の線ＶII-ＶIIに沿った断面における窓部材の弾性変形の模式図をそれぞれ示す。
【符号の説明】
【００５５】
１０        デジタルカメラ（表示用窓を有する機器）
１２（１２ａ〜１２Ｆ）    操作部材
２０        外観部材
２０Ｆ、２０Ｒ    前側外観部材、後側外観部材
２２ｇ      表示窓(第２の開口)
３０        表示部材（液晶ディスプレイ）
４０        後側カバー（筐体の一部）
４２ｇ      表示部材用開口（第１の開口）  
４２ｈ      棚状の受け面
５０        窓部材
５０ｈ      棚部
５０ｍ１〜５０ｍ３    有底の環状の溝
５０ｎ      板状の枠部分（梁部）
５０ｐ      衝撃吸収素材
６０        両面接着テープ
【図１】
2009294515.tif 000003
【図２】
2009294515.tif 000004
【図３】
2009294515.tif 000005
【図４】
2009294515.tif 000006
【図５】
2009294515.tif 000007
【図６】
2009294515.tif 000008
【図７】
2009294515.tif 000009
【図８】
2009294515.tif 000010